(57)【要約】  【課題】  フレーム検出用電極及びバーナーにシリコン酸化物が付着したことによって炎が有るのに検知されないことに起因する不具合を防止することができる燃焼機器を提供する。  【解決手段】  制御部８が、フレーム電流検出回路１２からの信号に応じた値と第１の基準値とを比較して燃焼炎が無い状態から燃焼炎が有る状態に移行したか否かを判定し、フレーム電流検出回路１２からの信号に応じた値と第２の基準値とを比較して燃焼炎が有る状態から燃焼炎が無い状態に移行したか否かを判定するとともに、燃焼炎の有無の判定結果に関わらず遅くても電磁ポンプを動作させて燃料の供給を開始してから所定の時間が経過するまでにはファンモータ１４を駆動させる。【選択図】      図３
2005061752.tif 000002
【特許請求の範囲】
【請求項１】
燃焼炎の炎電流を検出する炎電流検出手段と、
前記炎電流検出手段からの信号に応じた値と第１の基準値とを比較して燃焼炎が無い状態から燃焼炎が有る状態に移行したか否かを判定し、前記炎電流検出手段からの信号に応じた値と第２の基準値とを比較して燃焼炎が有る状態から燃焼炎が無い状態に移行したか否かを判定する判定手段と、
を備えることを特徴とする炎検知装置。
【請求項２】
燃料を燃焼させて熱を発生する燃焼装置と、
前記燃焼装置によって形成される燃焼炎を検知する請求項１に記載の炎検知装置と、
を備えることを特徴とする燃焼機器。
【請求項３】
燃料を燃焼させて熱を発生する燃焼装置と、
外部の空気を吸入し、その吸入した空気を前記燃焼装置が設けられた通路を経由して外部に排出する送風機と、
前記燃焼装置によって形成される燃焼炎の炎電流を検出する炎電流検出手段と、
前記燃焼装置及び前記送風機を制御する制御部と、
を備え、
前記制御部が、前記炎検出手段からの信号に応じた値と基準値とを比較して燃焼炎の有無を判定するとともに、燃焼炎の有無の判定結果に関わらず遅くても前記燃焼装置の燃料供給を開始してから所定の時間が経過するまでには前記送風機を駆動させることを特徴とする燃焼機器。
【請求項４】
燃料を燃焼させて熱を発生する燃焼装置と、
外部の空気を吸入し、その吸入した空気を前記燃焼装置が設けられた通路を経由して外部に排出する送風機と、
前記燃焼装置によって形成される燃焼炎の炎電流を検出する炎電流検出手段と、
前記燃焼装置及び前記送風機を制御する制御部と、
を備え、
前記制御部が、前記炎電流検出手段からの信号に応じた値と第１の基準値とを比較して燃焼炎が無い状態から燃焼炎が有る状態に移行したか否かを判定し、前記炎電流検出手段からの信号に応じた値と第２の基準値とを比較して燃焼炎が有る状態から燃焼炎が無い状態に移行したか否かを判定するとともに、燃焼炎の有無の判定結果に関わらず遅くても前記燃焼装置の燃料供給を開始してから所定の時間が経過するまでには前記送風機を駆動させることを特徴とする燃焼機器。
【発明の詳細な説明】
【技術分野】
【０００１】
本発明は、燃焼炎を検知する炎検知装置及び燃焼機器に関する。
【背景技術】
【０００２】
従来の燃焼機器として、ここでは石油ファンヒータを例に挙げて説明する。石油ファンヒータの点火時には、まず気化器ヒーターをオンにし、電磁ポンプを動作させて燃料タンクから気化器に石油を供給し、気化器内の石油を加熱してガス化するとともに、バーナーの上方に設けられた点火ヒーターをオンにする。そして、気化器に設けられたソレノイドが駆動してノズルが開いてガス化された石油をバーナーに噴射する。これにより、通常ソレノイドが駆動してから０．５秒〜１秒後にバーナーで燃焼炎が形成される。
【０００３】
石油ファンヒータにはフレーム検出用電極がバーナーの正常燃焼時に燃焼炎の中に位置するように設けられ、フレーム検出用電極とバーナーとの間に電圧を印加する。例えば、フレーム検出用電極の電位を＋２４Ｖにし、バーナーの電位を０Ｖにする。このとき燃焼炎が形成されていると、燃焼炎の中に位置するフレーム検出用電極からバーナーに向かって燃焼炎の中をイオン電流である炎電流が流れる。
【０００４】
そして、フレーム検出用電極とバーナーとの間を流れる炎電流を検出し、その検出した炎電流に応じた値と基準値との比較に基づいて燃焼炎の有無を判定し、燃焼炎が有ると判定してから所定の時間（例えば５秒）経過後に点火ヒーターをオフにするとともに送風機をオンにする。そして、電磁ポンプを動作させて燃料の供給を開始してから所定の時間（例えば６０秒）経過後に着火判定を行う。フレーム検出用電極とバーナーとの間を流れる炎電流を検出し、その検出した炎電流に応じた値と基準値との比較に基づいて着火の有無を判定する。
【特許文献１】特開平９−１１２８９４号公報
【特許文献２】特開平９−１０５５２１号公報
【発明の開示】
【発明が解決しようとする課題】
【０００５】
石油ファンヒータ等の燃焼機器が使用される室内には化粧品等に含まれているシリコンが浮遊しており、この浮遊しているシリコンが燃焼炎の中に入ると燃焼して酸化し、バーナーやフレーム検出用電極に付着する。バーナーやフレーム検出用電極にシリコン酸化物が付着すると、シリコン酸化物が付着していない場合に比べて炎電流が減少する。したがって、燃焼炎が形成されているにも関わらず着火判定において着火していないと判定され、エラー表示されることがあった。また、バーナーやフレーム検出用電極にシリコン酸化物が付着して炎電流が減少することで、燃焼炎が形成されているときに検出した炎電流に応じた値と基準値とが略同一レベルになりチャタリングが生じる可能性もあった。
【０００６】
また、従来の石油ファンヒータでは、燃焼炎が有ると判定してから所定の時間（例えば５秒）経過後に点火ヒーターをオフにするともに送風機をオンにするので、バーナーやフレーム検出用電極にシリコン酸化物が付着して炎電流が減少し、燃焼炎が形成されているにも関わらず燃焼炎が無いと判定されれば、送風機がオンにならずに石油ファンヒータ内部の温度が上昇して過熱防止サーモスタット等が誤動作するおそれがあった。
【０００７】
本発明は、上記の問題点に鑑み、フレーム検出用電極やバーナーにシリコン酸化物が付着したことによって燃焼炎が有るのに検知されないことに起因する不具合を低減することができる炎検知装置及び燃焼機器（例えば、ファンヒータ）を提供することを目的とする。
【課題を解決するための手段】
【０００８】
上記目的を達成するために本発明に係る炎検知装置は、燃焼炎の炎電流を検出する炎電流検出手段と、前記炎電流検出手段からの信号に応じた値と前記第１の基準値とを比較して燃焼炎が無い状態から燃焼炎が有る状態に移行したか否かを判定し、前記炎電流検出手段からの信号に応じた値と前記第２の基準値とを比較して燃焼炎が有る状態から燃焼炎が無い状態に移行したか否かを判定する判定手段と、を備える構成とする。
【０００９】
点火直後は炎が不安定であるために炎電流検出手段からの信号に応じた値が変動する。燃焼炎を形成するバーナーや炎検出手段のフレーム検出用電極にシリコン酸化物が付着している場合、炎電流が減少するため、炎電流検出手段からの信号に応じた値の変動に伴って第１の基準値との大小関係が変動する場合がある。しかしながら、上記構成によると、燃焼炎の有無の判定においてヒステリシスを持たせることができ、炎電流検出手段からの信号に応じた値と第２の基準値との大小関係が変動しなければ、燃焼炎が有る状態から燃焼炎が無い状態に移行したと判定されないので、燃焼炎が形成されているにも関わらず着火判定において着火していないと判定される可能性を低減することができる。これにより、燃焼炎が形成されているにも関わらず着火判定において着火していないと判定され、エラー表示される可能性を低減することができる。また、チャタリングが生じる可能性も低減することができる。
【００１０】
また、上記目的を達成するために本発明に係る燃焼機器は、燃料を燃焼させて熱を発生する燃焼装置と、前記燃焼装置によって形成される燃焼炎を検知する上記構成の炎検知装置と、を備える構成とする。
【００１１】
このような構成によると、燃焼炎が形成されているにも関わらず着火判定において着火していないと判定される可能性を低減することができる燃焼機器を実現することができる。これにより、フレーム検出用電極やバーナーにシリコン酸化物が付着したことによって燃焼炎が有るのに検知されないことに起因する不具合を低減することができる。
【００１２】
また、上記目的を達成するために本発明に係る燃焼機器は、燃料を燃焼させて熱を発生する燃焼装置と、外部の空気を吸入し、その吸入した空気を前記燃焼装置が設けられた通路を経由して外部に排出する送風機と、前記燃焼装置によって形成される燃焼炎の炎電流を検出する炎電流検出手段と、前記燃焼装置及び前記送風機を制御する制御部と、を備え、前記制御部が、前記炎検出手段からの信号に応じた値と基準値とを比較して燃焼炎の有無を判定するとともに、燃焼炎の有無の判定結果に関わらず遅くても前記燃焼装置の燃料供給を開始してから所定の時間が経過するまでには前記送風機を駆動させるようにする。
【００１３】
このような構成によると、燃焼炎の有無の判定結果に関わらず遅くても燃焼装置の燃料供給を開始してから所定の時間が経過するまでには送風機が駆動する。燃焼装置のバーナーや炎検出手段のフレーム検出用電極にシリコン酸化物が付着している場合には、炎電流が減少するため、燃焼炎が有る状態であっても燃焼炎が無い状態であると判定されることがあるが、燃焼炎が無い状態であると判定されても燃焼装置の燃料供給を開始してから所定の時間が経過すると送風機が駆動してバーナーに正圧がかかり燃焼炎が安定化する。この燃焼炎の安定化により、燃焼炎が有る状態であると判定される程度まで炎電流が増加することがある。したがって、燃焼炎が形成されているにも関わらず着火判定において着火していないと判定される可能性を低減することができる。また、燃焼炎が形成されているにも関わらず燃焼炎が無いと判定された場合でも、燃焼炎の有無の判定結果に関わらず遅くても燃焼装置の燃料供給を開始してから所定の時間が経過するまでには送風機が駆動するため、燃焼機器内部の温度が上昇して過熱防止サーモスタット等が誤動作することを防止することができる。
【００１４】
また、上記目的を達成するために本発明に係る燃焼機器は、燃料を燃焼させて熱を発生する燃焼装置と、外部の空気を吸入し、その吸入した空気を前記燃焼装置が設けられた通路を経由して外部に排出する送風機と、前記燃焼装置によって形成される燃焼炎の炎電流を検出する炎電流検出手段と、前記燃焼装置及び前記送風機を制御する制御部と、を備え、前記制御部が、前記炎電流検出手段からの信号に応じた値と第１の基準値とを比較して燃焼炎が無い状態から燃焼炎が有る状態に移行したか否かを判定し、前記炎電流検出手段からの信号に応じた値と第２の基準値とを比較して燃焼炎が有る状態から燃焼炎が無い状態に移行したか否かを判定するとともに、燃焼炎の有無の判定結果に関わらず遅くても前記燃焼装置の燃料供給を開始してから所定の時間が経過するまでには前記送風機を駆動させるようにする。
【００１５】
点火直後は炎が不安定であるために炎電流検出手段からの信号に応じた値が変動する。燃焼炎を形成するバーナーや炎検出手段のフレーム検出用電極にシリコン酸化物が付着している場合、炎電流が減少するため、炎電流検出手段からの信号に応じた値の変動に伴って第１の基準値との大小関係が変動する場合がある。しかしながら、上記構成によると、燃焼炎の有無の判定においてヒステリシスを持たせることができ、炎電流検出手段からの信号に応じた値と第２の基準値との大小関係が変動しなければ、燃焼炎が有る状態から燃焼炎が無い状態に移行したと判定されないので、燃焼炎が形成されているにも関わらず着火判定において着火していないと判定される可能性を低減することができる。
【００１６】
また、上記構成によると、燃焼炎の有無の判定結果に関わらず遅くても燃焼装置の燃料供給を開始してから所定の時間が経過するまでには送風機が駆動をする。燃焼装置のバーナーや炎検出手段のフレーム検出用電極にシリコン酸化物が付着している場合には、炎電流が減少するため、燃焼炎が有る状態であっても燃焼炎が無い状態と判定されることがあるが、燃焼炎が無い状態と判定されても燃焼装置の燃料供給を開始してから所定の時間が経過すると送風機が駆動してバーナーに正圧がかかり燃焼炎が安定化する。この燃焼炎の安定化により、燃焼炎が有る状態であると判定される程度まで炎電流が増加することがある。したがって、燃焼炎が形成されているにも関わらず着火判定において着火していないと判定される可能性をより一層低減することができる。また、燃焼炎が形成されているにも関わらず燃焼炎が無いと判定された場合でも、燃焼炎の有無の判定結果に関わらず遅くても燃焼装置の燃料供給を開始してから所定の時間が経過するまでには送風機が駆動するため、燃焼機器内部の温度が上昇して過熱防止サーモスタット等が誤動作することを防止することができる。
【発明の効果】
【００１７】
本発明によると、フレーム検出用電極やバーナーにシリコン酸化物が付着したことによって燃焼炎が有るのに検知されないことに起因する不具合を低減することができる。
【発明を実施するための最良の形態】
【００１８】
本発明の一実施形態について図面を参照して説明する。本発明に係る燃焼機器として、ここでは石油ファンヒータを例に挙げて説明する。図１は、本発明に係る石油ファンヒータの斜視図である。石油ファンヒータ１は、縦長の略直方体形状をなし、前面中央部には室内に温風を吹き出すための吹出口２が形成される。また、石油ファンヒータ１の背面には室内の空気を吸い込むための吸入口（図示せず）が形成される。さらに、石油ファンヒータ１の上部には、温度表示やエラー表示をする表示装置や運転スイッチ、運転表示ランプ、温度設定スイッチなどが設けられた操作部３が形成される。
【００１９】
図２は、石油ファンヒータ１の概略側断面図である。なお、図２において図１と同一の部分には同一の符号を付し詳細な説明を省略する。ファン５が回転すると、吸入口４から空気が吸い込まれ、吸い込まれた空気は通路６を通って吹出口２から排出される。バーナー７はガス化された石油を燃焼させて熱を発生し、通路６を通過する空気を温める。また、ファン５が回転すると、バーナー７に正圧がかかる。
【００２０】
図３は、石油ファンヒータ１の制御ブロック図を示している。なお、図３において図２と同一の部分には同一の符号を付し詳細な説明を省略する。マイクロコンピュータから成る制御部８は、運転スイッチ９から出力される信号と温度設定スイッチ１０から出力される信号と室温センサ１１から出力される信号とフレーム検出部１２から出力される信号とに応じて、燃焼装置１３と、ファン５が回転軸に取り付けられているモータ１４（以下、ファンモータ１４という）とを制御する。尚、燃焼装置１３は、燃料タンクと、電磁ポンプと、気化器と、気化器ヒーターと、バーナーと、点火ヒーターとを有する。また、フレーム検出部１２のフレーム検出用電極はバーナーの正常燃焼時に燃焼炎の中に位置するように設けられる。
【００２１】
制御部８の点火時における制御動作について図４のフローチャートを参照して説明する。運転停止状態の石油ファンヒータ１の運転スイッチ９をユーザが押下すると、制御部８が運転スイッチ９の出力信号を入力して制御動作を開始する。まず、制御部８は操作部３の運転ランプを点灯させる（ステップＳ１０）。
【００２２】
そして、制御部８は、気化器ヒーターをオンにし（ステップＳ２０）、電磁ポンプを動作させて燃料タンクから気化器に石油を供給し、気化器内の石油を加熱してガス化するとともに、バーナー７の上方に設けられた点火ヒーターをオンにする（ステップＳ３０）。そして、気化器に設けられたソレノイドが駆動してノズルが開いてガス化された石油をバーナーに噴射する（ステップＳ４０）。これにより、通常ソレノイドが駆動してから０．５秒〜１秒後にバーナーで燃焼炎が形成される。
【００２３】
制御部８は、フレーム検出部１２のフレーム検出用電極と燃料装置１３のバーナーとの間に電圧を印加する（ステップＳ４０）。例えば、フレーム検出用電極の電位を＋２４Ｖにし、バーナーの電位を０Ｖにする。
【００２４】
制御部８は、内部タイマーを用いて電磁ポンプを動作させて燃料の供給を開始してから経過した時間Ｔを計時し、時間Ｔが６０秒に達しているか否かを判定する（ステップＳ５０）。時間Ｔが６０秒に達していれば（ステップＳ５０のＹｅｓ）、後述するステップＳ１２０に移行する。一方、時間Ｔが６０秒に達していなければ（ステップＳ５０のＮｏ）、制御部８は、フレーム検出部１２が検出したフレーム検出用電極とバーナーとの間を流れる炎電流の値に基づいてフレーム検出用電極とバーナーとの間のインピーダンスを算出し、そのインピーダンスが第１の基準値（５．９ＭΩ）未満であるか否かを判定する（ステップＳ６０）。なお、第１の基準値は制御部８のメモリに予め記憶されている。フレーム検出用電極とバーナーとの間のインピーダンスが５．９ＭΩ未満であれば（ステップＳ６０のＹｅｓ）、制御部８は、燃焼炎が有ると判定し（ステップＳ７０）、ステップＳ９０に移行する。なお、初めて燃焼炎が有ると判定した場合、制御部８はその判定時点から所定の時間（例えば５秒）経過後に燃焼装置１３の点火ヒーターをオフにし、ファンモータ１４を回転駆動させる。一方、フレーム検出用電極とバーナーとの間のインピーダンスが５．９ＭΩ未満でなければ（ステップＳ６０のＮｏ）、燃焼炎が無いと判定し（ステップＳ８０）、ステップＳ５０に移行する。
【００２５】
ステップＳ９０では、時間Ｔが６０秒に達しているか否かを判定する。時間Ｔが６０秒に達していれば（ステップＳ９０のＹｅｓ）、後述するステップＳ１２０に移行する。一方、時間Ｔが６０秒に達していなければ（ステップＳ９０のＮｏ）、フレーム検出用電極とバーナーとの間のインピーダンスが第２の基準値（７．４ＭΩ）未満であるか否かを判定する（ステップＳ１００）。なお、第２の基準値は制御部８のメモリに予め記憶されている。フレーム検出用電極とバーナーとの間のインピーダンスが７．４ＭΩ未満でなければ（ステップＳ１００のＮｏ）、制御部８は、燃焼炎が無いと判定し（ステップＳ１１０）、ステップＳ５０に移行する。一方、フレーム検出用電極とバーナーとの間のインピーダンスが７．４ＭΩ未満であれば（ステップＳ１００のＹｅｓ）、ステップＳ７０に移行し燃焼炎が有ると判定する。
【００２６】
ステップＳ１２０では、燃焼炎の有無の判定に基づいて着火の有無を判定する。着火していれば（ステップＳ１２０のＹｅｓ）、通常の燃焼制御動作に移行する（ステップＳ１３０）。一方、着火していなければ（ステップＳ１２０のＮｏ）、燃焼装置１３の動作を停止し、ファンモータ１４の回転駆動を停止し、操作部３の表示装置にエラー表示をさせる（ステップＳ１４０）。
【００２７】
以上の制御動作を行うことにより、燃焼炎が無い状態から燃焼炎が有る状態に移行したか否かはフレーム検出用電極とバーナーとの間のインピーダンスと第１の基準値（５．９ＭΩ）との大小関係によって判定され、燃焼炎が有る状態から燃焼炎が無い状態に移行したか否かはフレーム検出用電極とバーナーとの間のインピーダンスと第２の基準値（７．４ＭΩ）との大小関係によって判定される。すなわち、燃焼炎の有無の判定においてヒステリシスを持たせている。
【００２８】
ここで、フレーム検出用電極とバーナーとの間のインピーダンスと、電磁ポンプを動作させて燃料の供給を開始してから経過した時間Ｔとの関係を図５に示す。点火に失敗したときはフレーム検出用電極とバーナーとの間のインピーダンスは無限大のままである（特性線Ａ参照）。バーナーやフレーム検出用電極にシリコン酸化物が付着していない場合、点火によってフレーム検出用電極とバーナーとの間のインピーダンスが第１の基準値（５．９ＭΩ）未満になった後は、点火直後で炎が不安定であるためにフレーム検出用電極とバーナーとの間のインピーダンスが変動しても第１の基準値（５．９ＭΩ）以上になることはない（特性線Ｂ参照）。一方、バーナーやフレーム検出用電極にシリコン酸化物が付着している場合、炎電流が減少するため、点火によってフレーム検出用電極とバーナーとの間のインピーダンスが第１の基準値（５．９ＭΩ）未満になった後も、点火直後で炎が不安定であるためにフレーム検出用電極とバーナーとの間のインピーダンスが変動して第１の基準値（５．９ＭΩ）以上になることがある（特性線Ｃ参照）。しかしながら、フレーム検出用電極とバーナーとの間のインピーダンスが第２の基準値（７．４ＭΩ）以上にならなければ、燃焼炎が有る状態から燃焼炎が無い状態に移行したと判定されないので、燃焼炎が形成されているにも関わらず着火判定において着火していないと判定される可能性を低減することができる。
【００２９】
なお、室温が設定温度より高くなり燃焼装置の消火を行った後、室温が設定温度より所定値以上低くなると、燃焼装置の再点火が行われる。この場合、すでに運転状態であるので、制御部８はステップＳ２０以降の制御動作を行う。また、図４の制御フローチャートでは、電磁ポンプを動作させて燃料の供給を開始してから６０秒後に着火判定に移行し、第１の基準値を５．９ＭΩとし、第２の基準値を７．４ＭΩとしたが、これらの設定値は一例であり石油ファンヒータの構造などに応じて最適な値を設定するとよい。
【００３０】
制御部１０が図４に示す制御フローチャートの代わりに図６に示す制御フローチャートにしたがって制御動作を行うようにしてもよい。なお、図６において図４と同一のステップには同一の符号を付し詳細な説明を省略する。
【００３１】
ステップＳ１０〜ステップＳ４０については図４に示す制御フローチャートと同様であるので、説明を省略する。制御部８は、内部タイマーを用いて電磁ポンプを動作させて燃料の供給を開始してから経過した時間Ｔを計時し、時間Ｔが５０秒に達しているか否かを判定する（ステップＳ２１０）。時間Ｔが５０秒に達していれば（ステップＳ２１０のＹｅｓ）、制御部８はファンモータ１４が回転駆動していなくて点火ヒーターがオンの状態であればファンモータ１４を回転駆動させるとともに、点火ヒーターをオフにして（ステップＳ２２０）、ステップＳ２３０に移行する。一方、時間Ｔが５０秒に達していなければ（ステップＳ２１０のＮｏ）、直接ステップＳ２３０に移行する。
【００３２】
ステップＳ２３０では、時間Ｔが６０秒に達しているか否かを判定する。時間Ｔが６０秒に達していれば（ステップＳ２３０のＹｅｓ）、後述するステップＳ２７０に移行する。一方、時間Ｔが６０秒に達していなければ（ステップＳ２３０のＮｏ）、制御部８は、フレーム検出部１２が検出したフレーム検出用電極とバーナーとの間を流れる電流の値に基づいてフレーム検出用電極とバーナーとの間のインピーダンスを算出し、そのインピーダンスが基準値（６．３ＭΩ）未満であるか否かを判定する（ステップＳ２４０）。なお、基準値は制御部８のメモリに予め記憶されている。
【００３３】
フレーム検出用電極とバーナーとの間のインピーダンスが６．３ＭΩ未満であれば（ステップＳ２４０のＹｅｓ）、制御部８は、燃焼炎が有ると判定し（ステップＳ２５０）、ステップＳ２１０に移行する。なお、初めて燃焼炎が有ると判定した場合、その判定時点から所定の時間（例えば５秒）経過後にファンモータ１４が回転駆動していなくて点火ヒーターがオンの状態であれば制御部８は燃焼装置１３の点火ヒーターをオフにし、ファンモータ１４を回転駆動させる。一方、フレーム検出用電極とバーナーとの間のインピーダンスが６．３ＭΩ未満でなければ（ステップＳ２４０のＮｏ）、燃焼炎が無いと判定し（ステップＳ２６０）、ステップＳ２１０に移行する。
【００３４】
ステップＳ２７０では、燃焼炎の有無の判定に基づいて着火の有無を判定する。着火していれば（ステップＳ２７０のＹｅｓ）、通常の燃焼制御動作に移行する（ステップＳ２８０）。一方、着火していなければ（ステップＳ２７０のＮｏ）、燃焼装置１３の動作を停止し、ファンモータ１４の回転駆動を停止し、操作部３の表示装置にエラー表示をさせる（ステップＳ２９０）。
【００３５】
以上の制御動作を行うことにより、燃焼炎の有無の判定結果に関わらず遅くても電磁ポンプを動作させて燃料の供給を開始してから所定の時間（５０秒）が経過するまでにはファンモータ１４が回転駆動をする。バーナーやフレーム検出用電極にシリコン酸化物が付着している場合には、炎電流が減少するため、燃焼炎が有る状態であってもフレーム検出用電極とバーナーとの間のインピーダンスが基準値（６．３ＭΩ）未満にならないで燃焼炎が無い状態であると判定されることがあるが、燃焼炎が無い状態であると判定されても電磁ポンプを動作させて燃料の供給を開始してから所定の時間（５０秒）が経過するとファンモータ１４が回転駆動をしてバーナーに正圧がかかり燃焼炎が安定化する。この燃焼炎の安定化により、フレーム検出用電極とバーナーとの間のインピーダンスが小さくなる。したがって、燃焼炎が形成されているにも関わらず着火判定において着火していないと判定される可能性を低減することができる。
【００３６】
ただし、燃焼炎が形成される前にファンモータ１４が回転駆動すると空気流が点火を妨げることになるので、ステップＳ２１０における判定基準時間（５０秒）は、燃焼装置１３の燃料タンクから気化器までの配管に石油が全く残っていない状態において電磁ポンプが動作を開始してからバーナーにガス化された石油が噴射されるまでの時間よりわずかに長い時間にすることが望ましい。
【００３７】
なお、室温が設定温度より高くなり燃焼装置の消火を行った後、室温が設定温度より所定値以上低くなると、燃焼装置の再点火が行われる。この場合、すでに運転状態であるので、制御部８はステップＳ２０以降の制御動作を行う。また、図６の制御フローチャートでは、遅くとも電磁ポンプを動作させて燃料の供給を開始してから５０秒後迄にはファンモータ１４が回転駆動し点火ヒーターがオフするようにし、電磁ポンプを動作させて燃料の供給を開始してから６０秒後に着火判定に移行し、基準値を６．３ＭΩとしたが、これらの設定値は一例であり石油ファンヒータの構造などに応じて最適な値を設定するとよい。
【００３８】
制御部１０が図４に示すフローチャートの代わりに図７に示すフローチャートにしたがって制御動作を行うようにしてもよい。なお、図７において図４と同一のステップには同一の符号を付し詳細な説明を省略する。
【００３９】
ステップＳ１０〜ステップＳ４０については図４に示すフローチャートと同様であるので、説明を省略する。制御部８は、内部タイマーを用いて電磁ポンプを動作させて燃料の供給を開始してから経過した時間Ｔを計時し、時間Ｔが５０秒に達しているか否かを判定する（ステップＳ３１０）。時間Ｔが５０秒に達していれば（ステップＳ３１０のＹｅｓ）、制御部８はファンモータ１４が回転駆動していなくて点火ヒーターがオンの状態であればファンモータ１４を回転駆動させるとともに、点火ヒーターをオフにして（ステップＳ３２０）、ステップＳ３３０に移行する。一方、時間Ｔが５０秒に達していなければ（ステップＳ３１０のＮｏ）、直接ステップＳ３３０に移行する。
【００４０】
ステップＳ３３０では、時間Ｔが６０秒に達しているか否かを判定する。時間Ｔが６０秒に達していれば（ステップＳ３３０のＹｅｓ）、後述するステップＳ４００に移行する。一方、時間Ｔが６０秒に達していなければ（ステップＳ３３０のＮｏ）、制御部８は、フレーム検出部１２が検出したフレーム検出用電極とバーナーとの間を流れる炎電流の値に基づいてフレーム検出用電極とバーナーとの間のインピーダンスを算出し、そのインピーダンスが第１の基準値（５．９ＭΩ）未満であるか否かを判定する（ステップＳ３４０）。なお、第１の基準値は制御部８のメモリに予め記憶されている。フレーム検出用電極とバーナーとの間のインピーダンスが５．９ＭΩ未満であれば（ステップＳ３４０のＹｅｓ）、制御部８は、燃焼炎が有ると判定し（ステップＳ３５０）、ステップＳ３７０に移行する。なお、初めて燃焼炎が有ると判定した場合は、その判定時点から所定の時間（例えば５秒）経過後に制御部８は燃焼装置１３の点火ヒーターをオフにし、ファンモータ１４を回転駆動させる。一方、フレーム検出用電極とバーナーとの間のインピーダンスが５．９ＭΩ未満でなければ（ステップＳ３４０のＮｏ）、燃焼炎が無いと判定し（ステップＳ３６０）、ステップＳ３１０に移行する。
【００４１】
ステップＳ３７０では、時間Ｔが６０秒に達しているか否かを判定する。時間Ｔが６０秒に達していれば（ステップＳ３７０のＹｅｓ）、後述するステップＳ４００に移行する。一方、時間Ｔが６０秒に達していなければ（ステップＳ３７０のＮｏ）、フレーム検出用電極とバーナーとの間のインピーダンスが第２の基準値（７．４ＭΩ）未満であるか否かを判定する（ステップＳ３８０）。なお、第２の基準値は制御部８のメモリに予め記憶されている。フレーム検出用電極とバーナーとの間のインピーダンスが７．４ＭΩ未満でなければ（ステップＳ３８０のＮｏ）、制御部８は、燃焼炎が無いと判定し（ステップＳ３９０）、ステップＳ３１０に移行する。一方、フレーム検出用電極とバーナーとの間のインピーダンスが７．４ＭΩ未満であれば（ステップＳ３８０のＹｅｓ）、ステップＳ３５０に移行し燃焼炎が有ると判定する。
【００４２】
ステップＳ４００では、燃焼炎の有無の判定に基づいて着火の有無を判定する。着火していれば（ステップＳ４００のＹｅｓ）、通常の燃焼制御動作に移行する（ステップＳ４１０）。一方、着火していなければ（ステップＳ４００のＮｏ）、燃焼装置１３の動作を停止し、ファンモータ１４の回転駆動を停止し、操作部３の表示装置にエラー表示をさせる（ステップＳ４２０）。
【００４３】
以上の制御動作を行うことにより、燃焼炎が無い状態から燃焼炎が有る状態に移行したか否かはフレーム検出用電極とバーナーとの間のインピーダンスと第１の基準値（５．９ＭΩ）との大小関係によって判定され、燃焼炎が有る状態から燃焼炎が無い状態に移行したか否かはフレーム検出用電極とバーナーとの間のインピーダンスと第２の基準値（７．４ＭΩ）との大小関係によって判定される。すなわち、燃焼炎の有無の判定においてヒステリシスを持たせている。
【００４４】
バーナーやフレーム検出用電極にシリコン酸化物が付着している場合、炎電流が減少するため、点火によってフレーム検出用電極とバーナーとの間のインピーダンスが第１の基準値（５．９ＭΩ）未満になった後も、点火直後で炎が不安定であるためにフレーム検出用電極とバーナーとの間のインピーダンスが変動して第１の基準値（５．９ＭΩ）以上になることがある。しかしながら、フレーム検出用電極とバーナーとの間のインピーダンスが第２の基準値（７．４ＭΩ）以上にならなければ、燃焼炎が有る状態から燃焼炎が無い状態に移行したと判定されないので、燃焼炎が形成されているにも関わらず着火判定において着火していないと判定される可能性を低減することができる。
【００４５】
さらに、燃焼炎の有無の判定結果に関わらず遅くても電磁ポンプを動作させて燃料の供給を開始してから所定の時間（５０秒）が経過するまでにはファンモータ１４が回転駆動をする。バーナーやフレーム検出用電極にシリコン酸化物が付着している場合には、炎電流が減少するため、燃焼炎が有る状態であってもフレーム検出用電極とバーナーとの間のインピーダンスが第２の基準値（７．４ＭΩ）以上になって燃焼炎が無い状態と判定されることがあるが、燃焼炎が無い状態と判定されても電磁ポンプを動作させて燃料の供給を開始してから所定の時間（５０秒）が経過するとファンモータ１４が回転駆動をしてバーナーに正圧がかかり燃焼炎が安定化する。この燃焼炎の安定化により、フレーム検出用電極とバーナーとの間のインピーダンスが小さくなる。したがって、燃焼炎が形成されているにも関わらず着火判定において着火していないと判定される可能性をより一層低減することができる。
【００４６】
ただし、燃焼炎が形成される前にファンモータ１４が回転駆動すると空気流が点火を妨げることになるので、ステップＳ３１０における判定基準時間（５０秒）は、燃焼装置１３の燃料タンクから気化器までの配管に石油が全く残っていない状態において電磁ポンプが動作を開始してからバーナーにガス化された石油が噴射されるまでの時間よりわずかに長い時間にすることが望ましい。
【００４７】
なお、室温が設定温度より高くなり燃焼装置の消火を行った後、室温が設定温度より所定値以上低くなると、燃焼装置の再点火が行われる。この場合、すでに運転状態であるので、制御部８はステップＳ２０以降の制御動作を行う。また、図７の制御フローチャートでは、遅くとも電磁ポンプを動作させて燃料の供給を開始してから５０秒後迄にはファンモータ１４が回転駆動し点火ヒーターがオフするようにし、電磁ポンプを動作させて燃料の供給を開始してから６０秒後に着火判定に移行し、第１の基準値を５．９ＭΩとし、第２の基準値を７．４ＭΩとしたが、これらの設定値は一例であり石油ファンヒータの構造などに応じて最適な値を設定するとよい。
【００４８】
上述した本実施形態では石油ファンヒータを例に説明したが、本発明は他の燃焼機器（例えば、ガスファンヒータ）にも適用することができる。
【図面の簡単な説明】
【００４９】
【図１】は、本発明に係る石油ファンヒータの斜視図である。
【図２】は、本発明に係る石油ファンヒータの概略側断面図である。
【図３】は、本発明に係る石油ファンヒータの回路ブロック図である。
【図４】は、本発明に係る石油ファンヒータの点火時における制御フローチャートである。
【図５】は、図４に示す制御フロー時のフレーム検出用電極とバーナーとの間のインピーダンスを示す図である。
【図６】は、本発明に係る石油ファンヒータの点火時における他の制御フローチャートである。
【図７】は、本発明に係る石油ファンヒータの点火時におけるさらに他の制御フローチャートである。
【符号の説明】
【００５０】
１  石油ファンヒータ
２  吹出口
３  操作部
４  吸入口
５  ファン
６  通路
７  バーナー
８  制御部
９  運転スイッチ
１０  温度設定スイッチ
１１  室温センサ
１２  燃焼装置
１３  ファンモータ
【図１】
2005061752.tif 000003
【図２】
2005061752.tif 000004
【図３】
2005061752.tif 000005
【図４】
2005061752.tif 000006
【図５】
2005061752.tif 000007
【図６】
2005061752.tif 000008
【図７】
2005061752.tif 000009